(57)【要約】【課題】組み合わせが容易なコネクタを提供する。【解決手段】本体１に設けた端子台座スロット１０に円形孔部と四角形孔部１０１を形成し、円形孔部と四角形孔部１０１の接合部位に阻止リング柵を設ける。また、本体１に前端部１１と後端部１２を設け、前端部１１の上方に第一ラッチ１１０を設け、前端部１１の下方に第二ラッチを設ける。第二ラッチは、前端部１１の後方へ向かって、後端部１２の開放孔上方まで延びて形成される。第二ラッチの末端下方にピン止め部を設ける。ピン止め部の前端に斜向面を設ける。さらに、斜向面の後端に直立面を設ける。本体１は、第二ラッチの直立面を通して、端子台座２の凹リング柵２２の前端壁２２０にピン止めされ、第二ラッチと端子台座２とを利用し、端子台座２との第一段階の固定を行う。これにより、本体１と端子台座２とが最初に結合する。【選択図】  図１
2011165562.tif 000002
【特許請求の範囲】
【請求項１】
本体に端子台座スロットを設け、
端子台座の形状に合わせて、端子台座スロットに円形孔部と四角形孔部を設け、
本体に前端部と後端部を設け、
前端部に第一ラッチを設け、第一ラッチから前端部の前端後方へ向かって、後端部の保護台座内部まで延伸することによって、第一ラッチが誤触されることを防止し、
前端部に第二ラッチを設け、第二ラッチを用いて、端子台座の第一段階の固定をすることにより、端子台座と本体が最初の結合を形成し、
その外に、後端部の両側辺に第一及び第二ピン止め台座を設け、固定台座の第一ピン止め部と第二ピン止め部と二段式に結合し、固定台座を利用して、本体と端子台座を完全結合し、
端子台座に円形部と四角形部を設け、円形部を利用して端子台座スロットの円形孔部と結合し、また四角形部を利用して前述の端子台座スロットの四角形孔部と結合することにより、端子台座を適切に端子台座スロット内部まで延伸して設置可能であり、
端子台座に凹リング柵を設け、前述の第二ラッチと結合することより、端子台座と本体が最初に結合し、
固定台座に下壁面を設け、下壁面に複数の前延伸棒を設けることより、本体の第二ラッチの両側まで延伸して設置し、かつ下壁面の内側に上延伸棒を設け、本体内部まで延伸して設置し、また端子台座の凹リング柵にピン止めし、固定台座を利用して、固定台座と本体間の結合は益々頑丈になり、
固定台座に側壁を設け、両側壁に第一ピン止め部と第二ピン止め部を設けることより、別々に本体の両側辺の第一ピン止め台座及び第二ピン止め台座と結合し、端子台座と本体を一体に完全に結合すると、組合せることができることを特徴とするコネクタ。
【請求項２】
本体の端子台座スロットの円形孔部と四角形孔部との接合部位に阻止リング柵を設け、端子台座を端子台座スロットまで延伸して設置する深さが制限されることを特徴とする請求項１に記載のコネクタ。
【請求項３】
本体の端子台座スロットの四角形孔部に斜切面を設けることにより、端子台座の外形に合わせて、端子台座を一定方向に従って、端子台座スロットと結合することを特徴とする請求項１に記載のコネクタ。
【請求項４】
本体の前端部は円形状で、後端部は略四角形であることを特徴とする請求項１に記載のコネクタ。
【請求項５】
本体の第一ラッチの柄部は、後方へ向かって、後端部の保護台座内部まで延伸することを特徴とする請求項１に記載のコネクタ。
【請求項６】
本体の保護台座は、後端部から上方へ向かって末端の近くまで延伸するとき、彎曲状になることより、対称する二つの保護台座により保護空間を形成し、その間に第一ラッチを設け、第一ラッチの柄部が誤触されることを防止することを特徴とする請求項１に記載のコネクタ。
【請求項７】
本体の第二ラッチの末端下方にピン止め部を設け、ピン止め部の前端に斜向面を設け、かつ斜向面の後端に直立面を設け、第二ラッチの直立面を通して、端子台座の凹リング柵の前端壁にピン止めし、第二ラッチと端子台座を利用して、端子台座と第一段階の固定を設置することにより、端子台座と本体が最初に結合することを特徴とする請求項１に記載のコネクタ。
【請求項８】
本体の後端部に開放孔を設け、第二ラッチを設け、第二ラッチと開放孔の両側壁に間隔空間を形成することにより、固定台座の下壁面の前延伸棒を設置し、また前述の開放孔に側延伸孔を設け、その側延伸孔を利用して、固定台座の上延伸棒の上方まで延伸して設置することを特徴とする請求項１に記載のコネクタ。
【請求項９】
本体後端部の両側辺に設ける第一ピン止め台座の設置位置は第二ピン止め台座より低く、第一ピン止め台座上方に凹槽を設けることより、固定台座の両側壁の第一ピン止め部と互いに第一段階のピン止めを形成することを特徴とする請求項１に記載のコネクタ。
【請求項１０】
端子台座の四角形部に斜切面を設けることより、本体の端子台座スロットの四角形部にある斜切面に合わせることを特徴とする請求項１に記載のコネクタ。
【請求項１１】
固定台座の下壁面の前端に前延伸棒を設置し、前延伸棒を本体の第二ラッチと開放孔の両側壁により形成する間隔空間まで延伸して設置することを特徴とする請求項１に記載のコネクタ。
【請求項１２】
固定台座に側壁の第一ピン止め部が側壁に突出し、下方にガイドスロットを設けることを特徴とする請求項１に記載のコネクタ。
【請求項１３】
固定台座と本体とが第一段階に結合するとき、固定台座の前延伸棒また本体の第二ラッチと開放孔の両側壁に形成する間隔空間まで延伸しないで突出状態を形成し、外接するコネクタと本コネクタとが連接すると、前延伸棒の前端面に突き上げ、外接するコネクタは本コネクタがまだ完全に取付ける前に連接する問題を防止することを特徴とする請求項１に記載のコネクタ。
【請求項１４】
端子台座の第二ラッチ部を斜面に設置することを特徴とする請求項１に記載のコネクタ。
【請求項１５】
固定台座の第二ピン止め部の下方にガイド孔を設けることを特徴とする請求項１に記載のコネクタ。
【請求項１６】
固定台座の上延伸棒に弧形表面を設け、弧形表面を利用して、端子台座の環状表面と緊密に接触させ、固定台座と本体の間の結合は益々頑丈になることを特徴とする請求項１に記載のコネクタ。
【発明の詳細な説明】
【技術分野】
【０００１】
本発明はコネクタに関する。
【背景技術】
【０００２】
従来のコネクタ、例えば、本出願人が台湾特許第２３４３１６号を取得し、２００５年０６月１１日の「コネクタ」に公布されたコネクタは、次のとおりである。それは、本体に端子台座スロットを設置することにより端子台座を設置し、端子台座スロットの前リング柵に校正槽を設ける。また、本体にラッチを設け、ラッチをラッチスロットに設け、このラッチスロットは後方へ向かって延びており、本体と結合することにより、リブ及びワンタッチグリップを連結させる。また、端子槽の後端に、複数のバルブを設けることより、端子台座と端子槽を結合する。
【０００３】
端子台座は、金属材質により形成され、大、小リング柵を設け、当該大、小リング柵は前述の端子槽と対応する内壁と結合することができ、端子台座と本体を頑丈に結合する。端子台座内に端子を設け、端子台座と信号源とを形成することにより、コネクタを構成する。従来のコネクタと本発明との最大の差異は、コネクタ本体と端子台座間の結合方法である。従来のコネクタは、複数のバルブにより端子台座と本体を固定して設置するが、端子台座が自由に回転する問題が避けられないために、使用及び取り付けに不便である。
【先行技術文献】
【特許文献】
【０００４】
【特許文献１】台湾特許第２３４３１６号明細書
【発明の概要】
【発明が解決しようとする課題】
【０００５】
本発明の目的は、本体と端子台座の間に最初の結合を形成させ、一つの固定台座を利用して、本体下方から本体と結合するときに端子台座が固定されることによって、組み立てが容易なコネクタを提供する。
【課題を解決するための手段】
【０００６】
本発明のコネクタは、本体の端子台座スロットに円形孔部と四角形孔部を設け、端子台座の外形に合わせて端子台座が一定方向に従って端子台座スロットと結合する。これにより、端子の設置位置を間違う問題を防止する。
また、本発明のコネクタは、本体の前端部下方に第二ラッチを設け、第二ラッチを通して、端子台座と第一段階の固定を設置する。これにより、端子台座と本体が最初に結合する。
【０００７】
さらにまた、本発明のコネクタは、本体後端部の両側辺に別々に第一及び第二ピン止め台座を設けることより、固定台座のピン止め穴と二段式に結合し、固定台座を利用して、本体と端子台座を完全結合する。
【０００８】
また、本発明のコネクタの端子台座には、円形部と四角形部が設けられている。コネクタの端子台座は、円形部を利用して、前述の端子台座スロットの円形孔部と結合する。また四角形部を利用して、前述の端子台座スロットの四角形孔部と結合すると、端子台座を適切に前述の端子台座スロット内部まで延伸ばして設置し、かつ端子台座に凹リング柵を設け、前述の第二ラッチと結合することにより、端子台座と本体が最初に結合する。
【０００９】
また、本発明のコネクタの固定台座の上壁面前端に、複数の前延伸棒を設け、本体の第二ラッチの両側まで延ばして設置し、かつ上壁面の内側に下延伸棒を設け、本体の中まで延ばして設置することにより、固定台座と本体間の結合は益々頑丈になる。
さらにまた、本発明のコネクタの固定台座の両側壁に第一ピン止め部と第二ピン止め部を設け、本体の両側辺の第一と第二ピン止め台座が結合すると、固定台座により端子台座と本体を一体に完全に結合することができる。
このように、本発明のコネクタでは、特に一種の固定台座に本体と端子を充分に結合する前に、本体に設ける第二ラッチを通して、端子を最初に定位することにより、コネクタの組合せが簡単で便利になった。
【図面の簡単な説明】
【００１０】
【図１】本発明の分解斜視図。
【図２】本発明の一部を示す分解斜視図。
【図３】本発明の正面図。
【図４】図３のＡ−Ａ線断面図。
【図５】本発明の一部を示す側面図。
【図６】図５のＢ−Ｂ線断面図。
【図７】本発明の固定台座と本体が第一段階に結合するときの断面を示す説明図。
【図８】本発明の固定台座と本体が第二段階に結合するときの断面を示す説明図。
【図９】本発明の結合後の側面図。
【図１０】図９のＣ−Ｃ線断面図。
【図１１】本発明の鳥瞰部分の断面を示す説明図。
【図１２】本発明の斜視図。
【図１３】本発明の固定台座と本体が第一段階に結合したときの斜視図。
【図１４】図１３に示した第一段階に結合する状態で、外接するコネクタは結合できないことを示す側面図。
【発明を実施するための形態】
【００１１】
以下、本発明の実施形態を図面に基づいて説明する。
（一実施形態）
本発明の一実施形態のコネクタを図１から図４に示す。
本体１は、端子台座スロット１０を備える。端子台座スロット１０には、円形孔部１００と四角形孔部１０１が設けられている。
円形孔部１００と四角形孔部１０１の長度と比例また非固定であり、必要に応じて端子台座２の形態によって決定される。また、円形孔部１００と四角形孔部１０１の接合部位には阻止リング柵１０２（図４参照）が設けられ、端子台座２を端子台座スロット１０まで延伸して設置する深さは、一定に制限される。また、端子台座スロット１０の四角形孔部１０１に斜切面１０３を設けることより、端子台座２の外形に合わせて、端子台座２が一定方向に従って、端子台座スロット１０と結合する。これにより、端子の設置位置が間違われる問題を解決する。
【００１２】
次に、本体１に前端部１１と後端部１２を設ける。前端部１１は円形状であるが、外接するコネクタの形状さえ合えば、他の形状であってもよい。後端部１２は、略四角形であり、前述のように、他の形状であってもよい。前端部１１の上方に第一ラッチ１１０を設ける。第一ラッチ１１０は適度な弾力性を持ち、使用者が第一ラッチ１１０の柄部１１１を押すとき、押された第一ラッチ１１０が下へ曲がり、使用者が柄部１１１を放すと、第一ラッチ１１０が元通りに戻る。第一ラッチ１１０を設ける理由は、外接するコネクタ（図示せず）と互いにピン止めするためである。
【００１３】
第一ラッチ１１０から前端部１１の前端後方へ向かって後端部１２の保護台座１２０内部まで延伸し、保護台座１２０は後端部１２から上方へ向かって、末端１２１の近くまで延びたところで湾曲状になることにより、対称する二つの保護台座１２０により保護空間１２２を形成する。第一ラッチ１１０はその間に設けられ、第一ラッチ１１０の柄部１１１の誤触が防止される。
【００１４】
図２、４−８に示すように、本体１の前端部１１下方に第二ラッチ１３を設ける。第二ラッチ１３から前端部１１の後端後方へ向かって、後端部１２の開放孔１４上方（図５及び６参照）まで延伸し、また第二ラッチ１３の末端下方にピン止め部１３０を設ける。ピン止め部１３０の前端に斜向面１３１を設ける。かつ、斜向面１３１の後端に直立面１３２を設ける。第二ラッチ１３の直立面１３２を通して、端子台座２の凹リング柵２２の前端壁２２０にピン止めし、第二ラッチ１３と端子台座２を利用して、端子台座と第一段階の固定を設置することにより、端子台座と本体が最初に結合する。
【００１５】
図２、５及び６に示すように、後端部１２に開放孔１４を設け、前述のように第二ラッチ１３を設けることより、第二ラッチ１３と開放孔１４の両側壁１４０に別々に一つの間隔空間１４１（図９及び１０参照）を形成することにより、固定台座３の下壁面３０の前延伸棒３００を設置し、また、開放孔１４に側延伸孔１４２（図２参照）を設け、その側延伸孔１４２を利用して、固定台座３の上延伸棒３１の上方まで延伸して設置する。
【００１６】
図１及び２に示すように、本体１後端部１２の両側辺１５に別々に第一ピン止め台座１５０（図５及び６参照）及び複数の第二ピン止め台座１５１（図９及び１０参照）を設ける。第一ピン止め台座１５０の設置位置は第二ピン止め台座１５１より低く、又第一ピン止め台座１５０上方に凹槽１５２を設けることより、固定台座３の両側壁３２の第一ピン止め部３３と互いに第一段階のピン止め（図７参照）を形成する。第二ピン止め台座１５１は前端部１１の両側辺に突出し、かつ固定台座３の第二ピン止め部３４と互いに結合すると（図８参照）、固定台座と本体間の第二段階の結合を形成し、固定台座３を利用して、本体１と端子台座２を完全結合する。
【００１７】
端子台座２に、図１及び４に示すように、円形部２０と四角形部２１を設け、円形部２０を利用して、端子台座スロット１０の円形孔部１００と結合し、また四角形部２１を利用して、端子台座スロット１０の四角形孔部１０１と結合すると、端子台座２を適切に端子台座スロット１０内部まで延伸して設置することができる。また、四角形部２１に斜切面２１０を設けることより、本体１の端子台座スロット１０の四角形孔部１０１に合わせて斜切面１０３を設け（図１参照）、互いに合わせて結合し、前述のように、端子台座２を一定方向に従って、端子台座スロット１０と結合し、端子の設置位置が間違う問題を防止する。更に、端子台座２に凹リング柵２２を設け、凹リング柵２２に前端壁２２０を設け、本体１の前端部１１下方に設ける第二ラッチ１３と結合することにより、端子台座２と本体１とが最初の結合を形成する。
【００１８】
固定台座３に図１及び２に示すように、下壁面３０を設ける。下壁面３０の前端に複数の前延伸棒３００を設けることにより、本体１の第二ラッチ１３と開放孔１４の両側壁に１４０形成する間隔空間１４１（図９及び１０参照）まで延伸して設置し、下壁面３０の内側に上延伸棒３１を設け、及び上延伸棒３１に弧形表面３１０を設け、その上延伸棒３１を利用して、本体１の側延伸孔１４２から、本体の中まで延伸して設置する。また、その固定台座３の上延伸棒３１を端子台座２の凹リング柵２２の中（図８参照）まで延伸して設置し、またその弧形表面３１０は端子台座２の環状表面と緊密に接触させ、固定台座３と本体１の間の結合は益々頑丈になる。
【００１９】
次に、固定台座３に側壁３２を設け、また両側壁３２に第一ピン止め部３３と第二ピン止め部３４を設ける。第一ピン止め部３３は側壁３２に突出し、また下方にガイドスロット３３０（図１参照）を設け、第二ピン止め部３４を斜面に設置し（図１及び１０参照）、かつ下方にガイド孔３４０を設ける。これによって、固定台座３の側壁３２と本体１の両側辺が結合すると、第一ピン止め部３３の設置位置は第二ピン止め部３４よりやや低いために、固定台座３の第一ピン止め部３３にあるガイドスロット３３０ガイド本体１の第一ピン止め台座１５０を利用して、固定台座３と本体を一定程度まで結合してから、本体の第一ピン止め台座１５０はまず固定台座３の第一ピン止め部３３にピン止めし、第一段階の結合（図７参照）を形成する。
【００２０】
かつ、このとき、図１３に示すように、前延伸棒３００は、本体１の第二ラッチ１３と開放孔１４の両側壁１４０に形成する間隔空間１４１の中まで延伸しないで突出状態を形成する。もしこのときに、外接するコネクタ４と本コネクタが連接すると、前延伸棒３００の前端面に突き上げ、外接するコネクタは本コネクタがまだ完全に取付ける前に連接する問題を防止する。その後、固定台座３と本体が再び一定の深さまで結合してから、本体１の第二ピン止め台座１５１と固定台座３の第二ピン止め部３４が第二段階の結合（図１０及び１１参照）を形成すると、固定台座により、端子台座と本体を一体に完全に結合し、本コネクタを組合せることができる（図１２参照）。
【００２１】
このように、本発明のコネクタを利用して、第二ラッチ１３は、端子台座２を本体１と結合するときに、最初の結合を形成する。端子台座２と本体１が最初に固定され、最後に固定台座３を再利用して、本体１の開放孔から本体内部まで延伸して設置し、また固定台座３の第一ピン止め部３３を利用して、第二ピン止め部３４と本体１第一ピン止め台座１５０と第二ピン止め台座１５１を結合させ、また固定台座３の上延伸棒３１を端子台座２の凹リング柵２２の中まで延伸して設置すると、本体１と端子台座２と固定台座３を一体に完全に結合する。これによると、組合せることがより簡単であり、別々に端子の極性を固定して設置するので、極性が混淆することもなく、コネクタの品質を高める。本発明は実際上に各種類のコネクタへ応用することができ、プラグコネクタまたはジャックコネクタに適合していることは、本発明の組合せである。
【符号の説明】
【００２２】
本体１、端子台座スロット１０、円形孔部１００、四角形孔部１０１、阻止リング柵１０２、斜切面１０３、前端部１１、後端部１２、第一ラッチ１１０、柄部１１１、保護台座１２０、末端１２１、保護空間１２２、第二ラッチ１３、ピン止め部１３０、斜向面１３１、直立面１３２、開放孔１４、側壁１４０、間隔空間１４１、側延伸孔１４２、側辺１５、第一ピン止め台座１５０、第二ピン止め台座１５１、凹槽１５２、端子台座２、円形部２０、四角形部２１、斜切面２１０、凹リング柵２２、前端壁２２０、固定台座３、下壁面３０、前延伸棒３００、上延伸棒３１、弧形表面３１０、側壁３２、第一ピン止め部３３、ガイドスロット３３０、第二ピン止め部３４、ガイド孔３４０、コネクタ４
【図１】
2011165562.tif 000003
【図２】
2011165562.tif 000004
【図３】
2011165562.tif 000005
【図４】
2011165562.tif 000006
【図５】
2011165562.tif 000007
【図６】
2011165562.tif 000008
【図７】
2011165562.tif 000009
【図８】
2011165562.tif 000010
【図９】
2011165562.tif 000011
【図１０】
2011165562.tif 000012
【図１１】
2011165562.tif 000013
【図１２】
2011165562.tif 000014
【図１３】
2011165562.tif 000015
【図１４】
2011165562.tif 000016